(57)【要約】【課題】本発明のペット用網戸保護構造は、屋内側で飼育しているペットが屋外側に取付けられた網戸に接触して、網戸を破損したり、開けたり或は取り外したりすることを防止し得る網戸の構造を目的とする。【解決手段】サッシ枠本体１の外側に網戸４が設けられかつサッシ枠本体１内にガラス戸２が水平方向に開閉し得るように構成された戸構造に於て、前記サッシ枠本体１が建込まれている建具枠３の屋内側で、前記網戸４に対応する位置に金属メッシュよりなるバリア装置５を取付けて構成した構造である。【選択図】　　　　図２
2004135539.tif 000002
【特許請求の範囲】
【請求項１】
開口部に網戸を設けた戸の構造に於て、前記網戸と対応する窓枠の屋内側所定位置に金属メッシュ、有孔板等からなるバリア装置を設けて構成したことを特徴としたペット用網戸保護構造。
【請求項２】
前記可動自在に窓枠に取付けられたバリア装置に開閉防止装置を取付けて構成したことを特徴とした請求項１のペット用網戸保護構造。
【発明の詳細な説明】
【０００１】
【発明の属する技術分野】
本発明は窓等の開口部に取付けられた網戸がペットによって破損されたり或は開けられることを防止し得るペット用網戸保護構造に係り、特に外側に網戸が設けられた窓枠の屋内側の網戸と対応する位置にバリア装置を設けて構成したペット用網戸保護構造に関するものである。
【０００２】
【従来の技術】
従来、開口部に網戸を取付ける場合には、一般的に窓枠の屋外側に網戸を取付け、窓枠の屋内側にガラス戸や障子等の戸を開閉自在に取付けて構成していた。
【０００３】
【発明が解決しようとする課題】
前述の従来の戸構造に於ては、猫、犬等のペットを屋内で飼っており、かつガラス戸や障子等の戸を開放して、網戸を使用している状態にしていると、例えば後述の特許文献１に示す如く、ペットが屋外から侵入したり又は外に出ようとして網戸を破損したり、網戸によじ登って網を壊したり、或は大型のペットになると網戸を押して壊したり、さらには、網戸が可動式の場合には、網戸を勝手に開けて外に出てしまう等の問題があった。
【０００４】
【特許文献１】
特開２００２−２６２６９４号公報
【０００５】
本発明に係るペット用網戸保護構造は、前述の従来の問題点に鑑み開発された全く新しい技術であって、外側に網戸が設けられている窓枠の屋内側にペット用のバリア装置を取付け、これによってペットが直接に網戸に接触することが出来ないようにしたペット用網戸保護構造の技術を提供するものである。特に、本発明は猫がよじ登って網戸をこわすことが出来ないようにした技術である。
【０００６】
【課題を解決するための手段】
本発明に係るペット用網戸保護構造は、前述の従来の多くの問題点を根本的に改善した発明であって、その第１発明の要旨は、開口部に網戸を設けた戸の構造に於て、前記網戸と対応する窓枠の屋内側所定位置に金属メッシュ、有孔板等からなるバリア装置を設けて構成したことを特徴としたペット用網戸保護構造である。
【０００７】
前述の第１発明に於ては、外側に網戸が設けられた窓枠の屋内側に金属メッシュ、有孔板等からなるバリア装置を設けて構成したので、このバリア装置によって屋内で飼育している猫、犬等のペットが直接に網戸に接触することを防止出来る。従って、ペットが網戸を破損したりすることを防止出来る。
【０００８】
また、本発明に於ては、前記バリア装置を窓枠に対して固定、半固定或は可動自在に取付けて構成することも出来る。
【０００９】
このように構成した場合は、バリア装置を窓枠に固定した場合には、ペットによってバリア装置が開けられたり、或は取り外されたりする心配がない。また、バリア装置を半固定にした場合には、不使用時に取り外す等の手段で、人力のみで取り外すことが出来る。
【００１０】
本発明に係るペット用網戸保護構造の第２発明の要旨は、前記可動自在に窓枠に取付けられたバリア装置に開閉防止装置を取付けて構成したことを特徴とした第１発明のペット用網戸保護構造である。
【００１１】
第２発明に係るペット用網戸保護構造に於ては、開閉防止装置をバリア装置に取付けて構成したので、ペットが勝手にバリア装置を移動させて窓を開けて屋外に出ることを防止出来る。
【００１２】
【発明の実施の形態】
図により本発明に係るペット用網戸保護構造の一実施例を具体的に説明すると、図１は本発明に係るペット用網戸保護構造の第１実施例を示す正面図、図２は図１のペット用網戸保護構造の縦断面図、図３は図１のペット用網戸保護構造の横断面図である。
【００１３】
図４は本発明に係るペット用網戸保護構造の第２実施例を示す縦断面図、図５は図４のペット用網戸保護構造の横断面図、図６は本発明に係るペット用網戸保護構造の第３実施例を示す縦断面図、図７は図６のペット用網戸保護構造の横断面図である。
【００１４】
図８は本発明に係るペット用網戸保護構造の第４実施例の横断面図、図９は本発明に係るペット用網戸保護構造の第５実施例の縦断面図、図１０は図９のペット用網戸保護構造の横断面図である。
【００１５】
図１乃至図３に於て、本発明に係るペット用網戸保護構造の第１実施例について説明する。１はサッシ枠本体であって、２枚のガラス戸２が水平方向に開閉し得るように取付けられている。３はサッシ枠本体１が建込まれた建具枠である。前記サッシ枠本体１の屋外側には網戸４が取付けられている。
【００１６】
５は所定寸法の網目を有する金属メッシュよりなるバリア装置であって、前記建具枠３の屋内側の所定位置に上固定金具６及び下固定金具７によって取付固定されている。図中８は外壁、９は屋内装飾壁である。
【００１７】
前記バリア装置５は前述のような金属メッシュのみならず、パンチングメタル或は有孔樹脂板等の有孔板が使用可能である。バリア装置５は、通風性、開放性或は採光性のある材料であればいずれの材料も利用することが出来る。
【００１８】
また、このバリア装置５は、ペットが爪をたてて登ろうとしたり、開けようとしたり、さらに体当りしても壊れない強度を持って構成されている。また、このバリア装置５を建具枠３に取付ける位置は、ペットがバリア装置５の網目或は孔に猫が前足を入れても前記サッシ枠本体１に取付けられた網戸４に届かない位置、例えば１５０ｍｍに取付けられている。また、バリア装置５の網目或は孔の寸法は、約５０×１００ｍｍ以下に形成されている。
【００１９】
前述の第１実施例のペット用網戸保護構造に於ては、サッシ枠本体１の外側に設けられた網戸４に対応して、建具枠３の屋内側にバリア装置５を取付けて構成したので、サッシ枠本体１のガラス戸２を開けて網戸４より屋内側に外気を取入れるような状態にした場合にも、前記網戸４と所定の間隔を保ってバリア装置５が屋内側に設けられているので、屋内側で飼育されているペットが網戸４に接触することを防止出来る。
【００２０】
図４及び図５に於て、本発明に係るペット用網戸保護構造の第２実施例を説明する。この第２実施例に於ては、前記建具枠３の天井面及び下面に夫々上溝１０と下溝１１とを設け、前記バリア装置５をこの上溝１０と下溝１１とに沿って水平方向に摺動し得るように構成した実施例である。この実施例に於ては、特に図５に示す如く建具枠３の所定位置に錠１２が取付けられており、これをロックすることによってペットがバリア装置５を移動させることが出来ないように構成されている。
【００２１】
図６及び図７に於て、本発明に係るペット用網戸保護構造の第３実施例を説明する。この第３実施例に於ては、建具枠３の天井面及び下面に夫々上レール１３と下レール１４とが設けられている。そしてこれ等の上レール１３と下レール１４を利用してバリア装置５が水平方向に移動することが出来るように構成されている。
【００２２】
図８に於て、本発明に係るペット用網戸保護構造の第４実施例を説明する。この第４実施例は、中央部で二つ折りすることが出来るバリア装置１５を使用した実施例である。この場合には、バリア装置１５を屋内側に引くことによって、バリア装置１５を一点鎖線に示す如く二つ折りし、バリア装置１５を開放することができるようにした構造である。
【００２３】
図９及び図１０に於て、本発明に係るペット用網戸保護構造の第５実施例を説明する。この第５実施例は、屋内側に開くことが出来るバリア装置１６を使用した実施例である。この場合には、バリア装置１６を屋内側に引いて回転させることによって、一点鎖線に示すように、バリア装置１６を開放することが出来る。
【００２４】
前記実施例の他に、左右に２枚のバリア装置（図示せず）を並列し、これ等のバリア装置を夫々屋内側に引いて観音開きにすることが出来る構造に構成することも可能である。
【００２５】
前記多くの実施例によって、本発明を具体化した種々の構造のペット用網戸保護構造を説明したが、いずれの場合に於ても、外側に設けられた網戸４に対応する屋内側にバリア装置５、１５、１６等を設けたので、これ等のバリア装置５、１５、１６によってペットが網戸４に接触することを完全に防止することが出来る。
【００２６】
【発明の効果】
本発明に係るペット用網戸保護構造に於ては、外側に網戸が設けられた窓枠の屋内側に金属メッシュ、有孔板等からなるバリア装置を設けて構成したので、このバリア装置によって屋内で飼育している猫、犬等のペットが直接に網戸に接触することを防止出来る効果がある。従って、ペットが網戸を破損したり、勝手に開けたりすることを防止出来る効果を有している。また、バリア装置は金属メッシュ等で構成されるので、ペット自身は外を見ることが出来るので、ストレス等が生ずる心配はない。
【００２７】
本発明に係るペット用網戸保護構造に於て、バリア装置を窓枠に固定した場合には、ペットによってバリア装置が開けられたり、或は取り外されたりする心配がない。また、バリア装置を半固定にした場合には、不必要時に人力によってのみ取り外すことが出来る効果がある。
【００２８】
本発明に係るペット用網戸保護構造に於て、開閉防止装置をバリア装置に取付けて構成した場合には、ペットが勝手にバリア装置を移動させて屋外に出ることを防止出来る効果がある。
【図面の簡単な説明】
【図１】本発明に係るペット用網戸保護構造の第１実施例を示す正面図である。
【図２】図１のペット用網戸保護構造の縦断面図である。
【図３】図１のペット用網戸保護構造の横断面図である。
【図４】本発明に係るペット用網戸保護構造の第２実施例を示す縦断面図である。
【図５】図４のペット用網戸保護構造の横断面図である。
【図６】本発明に係るペット用網戸保護構造の第３実施例を示す縦断面図である。
【図７】図６のペット用網戸保護構造の横断面図である。
【図８】本発明に係るペット用網戸保護構造の第４実施例の横断面図である。
【図９】本発明に係るペット用網戸保護構造の第５実施例の縦断面図である。
【図１０】図９のペット用網戸保護構造の横断面図である。
【符号の説明】
１　　　サッシ枠本体
２　　　ガラス戸
３　　　建具枠
４　　　網戸
５　　　バリア装置
６　　　上固定金具
７　　　下固定金具
８　　　外壁
９　　　屋内装飾壁
１０　　上溝
１１　　下溝
１２　　錠
１３　　上レール
１４　　下レール
１５　　バリア装置
１６　　バリア装置
【図１】
2004135539.tif 000003
【図２】
2004135539.tif 000004
【図３】
2004135539.tif 000005
【図４】
2004135539.tif 000006
【図５】
2004135539.tif 000007
【図６】
2004135539.tif 000008
【図７】
2004135539.tif 000009
【図８】
2004135539.tif 000010
【図９】
2004135539.tif 000011
【図１０】
2004135539.tif 000012